(57)【要約】【課題】  枚葉紙の一側端部の上方への湾曲を抑制する紙押さえ部材を備えた紙位置決め装置において、枚葉紙の厚さ変更に応じた紙押さえ部材の高さ調節の作業負担を軽減する。【解決手段】  横当て４に当接した枚葉紙１の一側端部１ｂの上方への湾曲を上方から抑制する紙押さえ部５２を有する紙押さえ部材５を備え、紙押さえ部材５はその紙押さえ部５２が紙載せ台の上面６に対して接近離反するようにローラ支軸９まわりに揺動する構成である。該紙押さえ部５２が紙載せ台の上面６に所定位置を超えて接近しないように紙押さえ部材５は調節ネジ２０の下端部で規制されると共に、紙押さえ部材５はコイルバネ２１によって下方に付勢されている。所定厚を超える厚さの枚葉紙を使用すると、紙押さえ部材５はコイルバネの付勢力に抗して回動して紙押さえ部５２は上面６から上方に離反する。【選択図】  図２
2005178075.tif 000002
【特許請求の範囲】
【請求項１】
印刷部に向けて紙載せ台上を搬送されてきた枚葉紙をその一側端部側に移動させる横方向紙送り手段と、枚葉紙の一側端部と当接して枚葉紙の横方向の位置決めを行う横当てと、該横当てに当接した枚葉紙の一側端部の上方への湾曲を上方から抑制する紙押さえ部を有する紙押さえ部材とを備えた印刷機の給紙部における紙位置決め装置であって、
紙押さえ部材はその紙押さえ部が紙載せ台の上面に対して接近離反するように移動可能に構成され、該紙押さえ部が紙載せ台の上面に所定位置を超えて接近しないように紙押さえ部材を規制する規制部材と、紙押さえ部が紙載せ台の上面に接近するように紙押さえ部材を付勢する付勢手段とを備え、
紙押さえ部は、枚葉紙が所定厚を超える厚さのものである場合には、横方向紙送り手段により送られる枚葉紙に押圧されることで付勢手段の付勢力に抗して紙載せ台の上面から離反することを特徴とする印刷機の給紙部における紙位置決め装置。
【請求項２】
前記所定位置を可変とすべく規制部材が上下に調節可能に構成させている請求項１記載の印刷機の給紙部における紙位置決め装置。
【請求項３】
紙押さえ部材は、枚葉紙の搬送方向に沿った軸線を中心として揺動する請求項１記載の印刷機の給紙部における紙位置決め装置。
【発明の詳細な説明】
【技術分野】
【０００１】
本発明は、枚葉紙の横方向の位置決めを行う印刷機の給紙部における紙位置決め装置に関する。
【背景技術】
【０００２】
一般に、積載された枚葉紙は、その最上部のものから順に印刷部へと給紙される。印刷部に給紙される前に、フィーダボード（紙載せ台）上を搬送されてきた枚葉紙の前端部が前当てに当接することによりその前後方向の位置決めがなされ、その後、上下一対のローラによって枚葉紙は挟持されて横方向に移動されてその一側端部が横当てに当接することによりその横方向の位置決めが行われる。
【０００３】
また、印刷機においては種々の厚みの枚葉紙が使用される。比較的厚い枚葉紙の場合にはその一側端部を横当てにしっかりと当接させることができるが、比較的薄い枚葉紙は腰が弱いため横当てに当接させると、その一側端部が上方に迫り上がったり湾曲したりすることがあり、その結果横方向の位置決め精度が悪化するという問題がある。そこで、薄い枚葉紙を使用した場合における一側端部の上方へ湾曲を防止するために、フィーダボードの上方に所定間隔離反して紙押さえ部材を設けて、比較的薄い枚葉紙の一側端部が横当てに当接した際に万一上方に湾曲しようとした場合には紙押さえ部材で上方からそれを抑制するようにしたものもある。紙押さえ部材とフィーダボード上の枚葉紙との間の空間は少ない方が良いため、紙押さえ部材を備える場合にはそれを高さ調節可能に構成して、比較的薄い枚葉紙を使用する場合には紙押さえ部材を下方に、比較的厚い枚葉紙では上方に移動させることが一般的である。
【特許文献１】実開平２−４１９３７号公報
【特許文献２】特開平１０−２５０８８２号公報
【発明の開示】
【発明が解決しようとする課題】
【０００４】
しかしながら、厚さの異なる枚葉紙に変更する都度、作業者は紙押さえ部材を高さ調節しなければならず、煩雑であるうえに、万一紙押さえ部材を下げた状態のまま厚い枚葉紙を給紙すると給紙不良が発生することにもなる。
【０００５】
それゆえに本発明は、上記従来の問題に鑑みてなされ、枚葉紙の一側端部の上方への湾曲を抑制する紙押さえ部材を備えた紙位置決め装置において、枚葉紙の厚さ変更に応じた紙押さえ部材の高さ調節の作業負担を軽減することを課題とする。
【課題を解決するための手段】
【０００６】
本発明は、上記課題を解決すべくなされたものであり、本発明に係る印刷機の給紙部における紙位置決め装置は、印刷部に向けて紙載せ台上を搬送されてきた枚葉紙をその一側端部側に移動させる横方向紙送り手段と、枚葉紙の一側端部と当接して枚葉紙の横方向の位置決めを行う横当てと、該横当てに当接した枚葉紙の一側端部の上方への湾曲を上方から抑制する紙押さえ部を有する紙押さえ部材とを備えた印刷機の給紙部における紙位置決め装置であって、紙押さえ部材はその紙押さえ部が紙載せ台の上面に対して接近離反するように移動可能に構成され、該紙押さえ部が紙載せ台の上面に所定位置を超えて接近しないように紙押さえ部材を規制する規制部材と、紙押さえ部が紙載せ台の上面に接近するように紙押さえ部材を付勢する付勢手段とを備え、紙押さえ部は、枚葉紙が所定厚を超える厚さのものである場合には、横方向紙送り手段により送られる枚葉紙に押圧されることで付勢手段の付勢力に抗して紙載せ台の上面から離反することを特徴とする。
【０００７】
該構成の紙位置決め装置にあっては、紙押さえ部材がその紙押さえ部が紙載せ台の上面に対して接近離反するように移動可能に構成されているが、該紙押さえ部材は規制部材によって規制されているのでその紙押さえ部は所定位置よりも下方には移動しない。この所定位置は所定厚以下の比較的薄い枚葉紙の湾曲を上方から抑制するのに適した位置であり、従って、比較的薄い枚葉紙の一側端部が上方に湾曲することを紙押さえ部材で抑制することができる。一方、紙押さえ部材は付勢手段で付勢されているが所定位置から上方には移動することができる。従って、紙押さえ部材の紙押さえ部が所定位置にある状態のままで所定厚を超える比較的厚い枚葉紙を横当てに当接させるべく横方向紙送り手段で一側端部側に移動させようとすると、紙押さえ部はその比較的厚い枚葉紙によって押圧されて付勢手段の付勢力に抗して上方に自動的に逃げる。そのため、所定厚を超える比較的厚い枚葉紙も横当てに当接させて位置決めすることができ、確実に印刷部に給紙することができる。
【０００８】
また、本発明においては紙押さえ部材が高さ調節不可能に構成されていても、即ち、規制部材が固定型であって紙押さえ部の所定位置が一定であってもよい。しかしながら、該所定位置を可変とすべく規制部材が上下に調節可能に構成させていれば、枚葉紙の厚さの使用可能範囲も広がるうえに、厚さの同じ枚葉紙であっても種類の違いや剛性の強弱等に応じて所定位置を微調整することもでき、より一層高い精度で位置決めすることができる。
【０００９】
また、紙押さえ部材は、上下に平行移動する構成であってもよいが、枚葉紙の搬送方向に沿った軸線を中心として揺動する構成とすることもできる。この場合、枚葉紙に押されて紙押さえ部材が回動しながら上方に退避するので、紙押さえ部材がスムーズに上方に退避できる。
【発明の効果】
【００１０】
以上のように、枚葉紙が所定厚以下の比較的薄い枚葉紙である場合には紙押さえ部材でその上方への湾曲を確実に抑制でき、所定厚を超える比較的厚い枚葉紙を使用しても、一側端部側に移動する枚葉紙に押されて紙押さえ部が上方に自動的に退避するので、紙押さえ部材の高さが一定であっても厚さの異なる枚葉紙を位置決めしつつ確実に印刷部に給紙することができ、従来のように厚さの異なる枚葉紙に変更する毎に高さ調節作業が発生するということがなくなり、作業者の作業負担が軽減されることとなる。
【発明を実施するための最良の形態】
【００１１】
以下、本発明に係る印刷機の給紙部における紙位置決め装置の一実施形態について図面を参酌しつつ説明する。
図１に示すように、本実施形態における紙位置決め装置は、紙載せ台としてのフィーダボード上を印刷部に向けて矢印１００の方向に搬送され前当てにその前端部１ａが当接してその前後方向（搬送方向）の位置決めがなされた枚葉紙１を、その一側端部１ｂ側（矢印１０１の方向）に移動させて横方向（搬送方向に対して直交する方向）の位置決めを行うものである。
【００１２】
具体的には、図２及び図３に示すように、枚葉紙１を上下に挟んで回転する上下一対のローラ２，３（横方向紙送り手段）と、該上下一対のローラ２，３により移動した枚葉紙１の一側端部１ｂと当接して枚葉紙１の横方向の位置決めを行う横当て４と、横当て４に当接した枚葉紙１の一側端部１ｂの上方への湾曲を上方から抑制するための紙押さえ部材５とを備えている。
【００１３】
上下一対のローラ２，３は、前後方向に沿った軸線まわりに回転し、枚葉紙１の下方に位置する下ローラ３は駆動ローラであり、枚葉紙１の上側に位置する上ローラ２は前記下ローラ３から駆動力を受けてそれに追従して回転するコロである。上ローラ２と下ローラ３の接点は、フィーダボードの上面６と同じ高さにある。尚、上下一対のローラ２，３は、枚葉紙１の中央よりも一側端部１ｂ側に位置して枚葉紙１を引き寄せるようにして横当て４に当接させる。そして、下ローラ３の位置は固定であるが、上ローラ２は枚葉紙１の給紙のタイミングに合わせて上下に往復動する。即ち、紙位置決め装置は、フィーダボードの左側に位置して前後方向に沿ったアーム支軸７を有している。該アーム支軸７には、枚葉紙１の他側端部側に向けて略水平に伸びた第一の揺動アーム８が軸支され、該第一の揺動アーム８は、先端が前後に二股状に分岐している。そして、分岐した前後一対の二股片部８ａ，８ｂには、前後方向に伸びるローラ支軸９が装着されている。該ローラ支軸９に前記上ローラ２が軸支され、該上ローラ２は両二股片部８ａ，８ｂ間に位置している。一方、アーム支軸７には下方に伸びるように第二の揺動アーム１０が軸支され、該第二の揺動アーム１０の先端部にはカム１１に沿って走行するカムフォロア１２が設けられている。第一の揺動アーム８は、コイルバネ１３によって、上ローラ２が下ローラ３に接触する方向に回転するように付勢されており、その付勢力は、中間部材３０を介して第二の揺動アーム１０へと伝達され、カムフォロア１２はカム１１に当接する方向に付勢されている。そして、枚葉紙１が印刷部に向けて前側に移動する際には、カム１１が第二の揺動アーム１０と第一の揺動アーム８を、コイルバネ１３による付勢力に抗して図２において反時計回りに所定角度回転させて下ローラ３から上ローラ２を上方に離反させて両ローラ２，３間に所定の隙間を開けて、枚葉紙１が両ローラ２，３間を通るようにする。その後、枚葉紙１が前当てに当接すると、両揺動アーム８，１０はコイルバネ１３の付勢力によって図２の時計回りに所定角度回転し、上ローラ２が下ローラ３に接近してその間に位置する枚葉紙１を上下に挟み込み、両ローラ２，３が回転して図２の左側に向けて枚葉紙１を所定距離移動させる。尚、コイルバネ１３によって両揺動アーム８，１０に付加される付勢力は、上部に設けられたダイヤル１４を回転させることで調節可能である。
【００１４】
また、前記横当て４は、フィーダボードの上面６に取り付けられている。詳細には、図２のように、上下一対のローラ２，３よりも左側に位置し、例えば所定厚を有する板状体から構成され、その端面４ａが、枚葉紙１の一側端部１ｂが当接するストッパー面として機能する。図４は、紙位置決め装置の主要構成のみを平面図として示したものであるが、この図４に示すように、ストッパー面となる横当て４の端面４ａは、前後方向に沿って所定の長さを有している。尚、後述する紙押さえ部材５の突起部５２との干渉を回避すべく、その端面４ａには突起部５２に対応した切欠４ｂが設けられている。
【００１５】
次に、この紙押さえ部材５について説明する。該紙押さえ部材５は、ローラ支軸９に軸支されてそれを中心として左右に揺動可能に構成されている。従って、第一の揺動アーム８が上方に回動して上ローラ２が下ローラ３から上方に離反すると、紙押さえ部材５も上方に移動する。該紙押さえ部材５は、フィーダボードの上面６に対峙する薄い板状ガイド部５０と、該板状ガイド部５０の上面に突出した前後一対の軸支持部５１とを有している。尚、本実施形態では板状ガイド部５０と両軸支持部５１とは互いに別部材から構成されており、従って、紙押さえ部材５は合計三つの部材からなるが、一つの部材から一体的に構成されたものであってもよい。前記板状ガイド部５０の右端部５０ａは上方に向けて折曲し、板状ガイド部５０の後端部５０ｂも上方に向けて折曲している。枚葉紙１を一側端部１ｂ側に移動させる際に枚葉紙１がスムーズに移動するように板状ガイド部５０の右端部５０ａは斜め上方を向いていて、枚葉紙１の横移動の際、板状ガイド部５０の右端部５０ａにより枚葉紙１に傷がつきにくくなっている。また、板状ガイド部５０の後端部５０ｂも同じく斜め上方を向いているが、この板状ガイド部５０の後端部５０ｂは、枚葉紙１が上下一対のローラ２，３間を前側に移動する際の導入ガイドとして機能している。また、板状ガイド部５０の左端部５０ｃには、上述した突起部５２が側方に向けて前後一対突設されている。該突起部５２は、図４に示すように、平面的に見て、横当て４の端面４ａを横方向に跨いでおり、従って、該突起部５２が、枚葉紙１の一側端部１ｂが横当て４に当接した際にその上方への湾曲を上方から抑制する紙押さえ部として機能する。そして、本実施形態のように、突起部５２は前後方向に所定間隔離間して複数形成されていることが好ましい。尚、板状ガイド部５０は、ローラ支軸９の下方に位置している。従って、板状ガイド部５０の略中央部分には例えば矩形の窓部５３が形成され、その窓部５３を介して上ローラ２は枚葉紙１に接触可能に構成されている。また、板状ガイド部５０の上面に突設された前後一対の軸支持部５１には、前後方向に沿って貫通孔が形成されており、各貫通孔に前記ローラ支軸９が挿通されている。従って、紙押さえ部材５は、ローラ支軸９を支点として揺動することができる。尚、図３のように、前後一対の軸支持部５１は、第一の揺動アーム８の両二股片部８ａ，８ｂを前後に挟み込むように位置している。
【００１６】
一方、第一の揺動アーム８の二股片部８ａ，８ｂの一方、本実施形態では、後側の二股片部８ｂには、その下端部が板状ガイド部５０の上面に当接する規制部材としての調節ネジ２０と、板状ガイド部５０が調節ネジ２０の下端部に当接するように板状ガイド部５０を付勢する付勢手段としてのコイルバネ２１とが設けられている。調節ネジ２０は、ローラ支軸９よりも右側（枚葉紙１の他側端部側）に位置し、板状ガイド部５０の突起部５２が所定位置を超えてフィーダボードの上面６に接近しないように規制する。また、コイルバネ２１は、ローラ支軸９よりも左側（枚葉紙１の一側端部１ｂ側）に位置して板状ガイド部５０の上面を下向きに付勢し、この付勢により板状ガイド部５０は調節ネジ２０の下端部に当接するように付勢される。即ち、コイルバネ２１は、突起部５２がフィーダボードの上面６に接近するように板状ガイド部５０を付勢する。また、調節ネジ２０はその上端部に設けられたダイヤル２２を回すことで下端部の高さを上下に調節することができ、これにより紙押さえ部材５を揺動させ、突起部５２の高さを微調節することができる。但し、通常は、所定厚以下の比較的薄い枚葉紙１を使用する場合に適合するように突起部５２の高さは設定され、本実施形態においては、その設定状態では、板状ガイド部５０は全体として僅かに右上がりの傾斜状態となる。尚、図１に示すように、ダイヤル２２の上面には目盛りが付されている。また、ダイヤル２２の周面には縦溝が一定間隔毎に形成され、第一の揺動アーム８の上面にネジ止めされた板バネ２３の先端が縦溝に係合することで、調節ネジ２０が自由に回転することを防止している。尚、コイルバネ２１による付勢力は、比較的薄く腰の弱い枚葉紙１を横当て４に当接させた際に、その一側端部１ｂが上方に迫り上がったり湾曲したりするのを抑制できる程度のもので十分であり、所定厚を超える比較的厚い枚葉紙１の一側端部１ｂによって紙押さえ部材５が上方に押し上げられることが必要である。
【００１７】
以上のように構成された紙位置決め装置を使用して枚葉紙１を位置決めするのであるが、上述したように、通常は突起部５２をフィーダボードの上面６にかなり接近させているので、所定厚（例えば０．１ｍｍ）以下の比較的薄い枚葉紙１が横当て４に当接したときにその一側端部１ｂの上方への湾曲が突起部５２で確実に抑制される。そして、調節ネジ２０を回転させずに紙押さえ部材５をそのままの状態にしておいて、次に所定厚（例えば０．１ｍｍ）を超える比較的厚い枚葉紙１を使用すると、その枚葉紙１が上下一対のローラ２，３によって一側端部１ｂ側に移動する際に、枚葉紙１の主として一側端部１ｂが板状ガイド部５０の下面を上方に押して板状ガイド部５０に図２において時計回りのモーメントを発生させる。板状ガイド部５０が枚葉紙１によって押圧されることにより、板状ガイド部５０はコイルバネ２１の付勢力に抗して回動し、これにより突起部５２はフィーダボードから上方に離反する。従って、枚葉紙１の一側端部１ｂは横当て４に当接し、枚葉紙１の横方向の位置決めがなされる。そして、その枚葉紙１が印刷部に給紙されると、コイルバネ２１の付勢力によって反対側に回動し、板状ガイド部５０が調節ネジ２０の下端部に当接した元の状態まで戻る。このように、所定厚以下の比較的薄い枚葉紙１の使用に適した状態に紙押さえ部材５をセットしておけば、所定厚を超える厚さの枚葉紙１であっても問題なく使用することができ、厚さの異なる枚葉紙１に変更する際の作業者の作業負担が軽減される。特に、紙押さえ部材５が揺動する構成であるので、紙押さえ部材５が上下に平行移動する構成に比してスムーズに突起部５２が上方に退避する。しかも、紙押さえ部材５の回動支軸がローラ支軸９であるので、ローラ支軸９とは別に専用の回動支軸を配置する必要がなくなり構造を簡素化することができる。このように、紙押さえ部材５は比較的薄い枚葉紙１を使用する際に適した状態に設定すればよいので、調節ネジ２０によって微調節可能に構成しなくてもよいが、調節ネジ２０によって微調節可能に構成すれば、枚葉紙１の厚さや剛性に対する適応範囲も広がり、位置決め精度をより一層高めることもできる。
【００１８】
尚、上記実施形態では、突起部５２を前後一対設けたが、突起部５２の数、位置、形状等は適宜設計変更可能である。また、紙押さえ部としての突起部５２を板状ガイド部５０に設けたが、紙押さえ部と板状ガイド部５０を別部材から構成してもよい。例えば、板状ガイド部５０を紙押さえ部材５から分離して第一の揺動アーム８に固定し、紙押さえ部のみを軸支持部５１に連結させてローラ支軸９まわりに揺動する構成としてもよい。また、コイルバネ２１以外の付勢手段を使用してもよい。また、規制部材として調節ネジ２０を設けたが、調節ネジ２０を固定タイプとして規制の高さを不変としてもよく、規制部材の構成も適宜設計変更可能である。
【図面の簡単な説明】
【００１９】
【図１】本発明の一実施形態の紙位置決め装置を示す平面図。
【図２】図１のＡ−Ａ断面図。
【図３】図１のＢ−Ｂ断面図。
【図４】同装置の要部を示す平面図。
【符号の説明】
【００２０】
１…枚葉紙、１ａ…前端部、１ｂ…一側端部、２…上ローラ（横方向紙送り手段）、３…下ローラ（横方向紙送り手段）、４…横当て、５…紙押さえ部材、７…アーム支軸、８…第一の揺動アーム、９…ローラ支軸、１０…第二の揺動アーム、１１…カム、１２…カムフォロア、１３…コイルバネ、１４…ダイヤル、２０…調節ネジ（規制部材）、２１…コイルバネ（付勢手段）、２２…ダイヤル、２３…板バネ、５０…板状ガイド部、５１…軸支持部、５２…突起部（紙押さえ部）
【図１】
2005178075.tif 000003
【図２】
2005178075.tif 000004
【図３】
2005178075.tif 000005
【図４】
2005178075.tif 000006